(57)【特許請求の範囲】
【請求項１】
古紙に加水し攪拌処理する攪拌槽及び前記攪拌槽で得られた古紙の含水攪拌物を後処理する後処理部を設けてなる古紙処理部と、前記古紙処理部の動作を制御する制御部とを備えた古紙処理装置であって、
少なくとも前記古紙処理部に電力を供給する商用電源の電気料金について、所定期間において消費する電力の許容電気料金額を設定する上限額設定部を備え、
制御部は、上限額設定部において設定された金額に基づいて古紙処理部を稼動することを特徴とする古紙処理装置。
【請求項２】
制御部は、古紙処理部の所定時間の稼動により消費する電力と、電気料金の単価とから、古紙処理部の稼動に必要となる電気料金を試算し、得られた試算額に基づいて古紙処理部を稼動する請求項１に記載の古紙処理装置。
【請求項３】
制御部は、古紙処理部の所定時間の稼動により実際に消費した電力と、電気料金の単価とから、実際に消費した電力の電気料金を演算し、演算の結果得られた金額に基づいて古紙処理部を稼動する請求項１または請求項２に記載の古紙処理装置。
【請求項４】
電気料金の単価が、電力会社との契約により期間及び／または時間帯によって異なる場合に、単価の安い期間及び／または時間帯の順に優先順位を付与する優先順位設定部を備え、
制御部は、優先順位設定部で付与された優先順位に基づいて古紙処理部を稼動することを特徴とする請求項１乃至請求項３のいずれか一項に記載の古紙処理装置。
【請求項５】
古紙に加水し攪拌処理する攪拌槽及び前記攪拌槽で得られた古紙の含水攪拌物を後処理する後処理部を設けてなる古紙処理部と、前記古紙処理部の動作を制御する制御部とを備えた古紙処理装置であって、
前記古紙処理部の雰囲気温度を検出する温度検出部と、
前記古紙処理部を稼動するかどうかの判断の基準となる温度範囲を設定する温度設定部と、
少なくとも古紙処理部に電力を供給する商用電源の電気料金について、所定期間において消費する電力の許容電気料金額を設定する上限額設定部とを備え、
制御部は、温度検出部の検出温度と、温度設定部の設定温度範囲と、上限額設定部において設定された金額とに基づいて前記古紙処理部を稼動することを特徴とする古紙処理装置。
【請求項６】
少なくとも古紙処理部に電力を供給する商用電源の電気料金の単価が、電力会社との契約により期間及び／または時間帯によって異なる場合に、単価の安い期間及び／または時間帯の順に優先順位を付与する優先順位設定部を備え、
制御部は、優先順位設定部で付与された優先順位に基づいて古紙処理部を稼動する請求項５に記載の古紙処理装置。
【請求項７】
古紙処理部の運転を停止する少なくとも期間、曜日、日付または時間帯のいずれかを設定する停止条件設定部を備えたことを特徴とする請求項１乃至請求項６のいずれか一項に記載の古紙処理装置。
【発明の詳細な説明】
【技術分野】
【０００１】
本発明は古紙処理装置に関するものである。
【背景技術】
【０００２】
従来、古紙を離解して古紙パルプを調製し、得られた古紙パルプ液を抄き網で抄紙することにより再生紙を製造する技術が知られている。下記特許文献１には、古紙の裁断紙片を離解して古紙パルプ液を調製する古紙パルプ製造部と、古紙パルプ液を漂白する脱墨部と、脱墨後の古紙パルプ液を抄き網により抄紙し、乾燥して再生紙を調製する抄紙部を一体的に備えた古紙処理装置が開示されている。
【先行技術文献】
【特許文献】
【０００３】
【特許文献１】特開２００９−２９９２２８号公報
【発明の概要】
【発明が解決しようとする課題】
【０００４】
上記特許文献１に示される古紙処理装置では、消費する電力の電気料金が非常に高くなるおそれがあった。
【０００５】
本発明は上記した課題を解決するものであり、古紙処理に要する電気料金を安く抑えることの可能な古紙処理装置の提供を目的とする。
【課題を解決するための手段】
【０００６】
本発明にかかる古紙処理装置は、古紙に加水し攪拌処理する攪拌槽及び前記攪拌槽で得られた古紙の含水攪拌物を後処理する後処理部を設けてなる古紙処理部と、前記古紙処理部の動作を制御する制御部とを備えた古紙処理装置であって、少なくとも前記古紙処理部に電力を供給する商用電源の電気料金について、所定期間において消費する電力の許容電気料金額を設定する上限額設定部を備え、制御部は、上限額設定部において設定された金額に基づいて古紙処理部を稼動する。
【０００７】
また、前記構成において、制御部は、古紙処理部の所定時間の稼動により消費する電力と、電気料金の単価とから、古紙処理部の稼動に必要となる電気料金を試算し、得られた試算額に基づいて古紙処理部を稼動する。
【０００８】
そして、前記各構成において、制御部は、古紙処理部の所定時間の稼動により実際に消費した電力と、電気料金の単価とから、実際に消費した電力の電気料金を演算し、演算の結果得られた金額に基づいて古紙処理部を稼動する。
【０００９】
更に、前記各構成において、電気料金の単価が、電力会社との契約により期間及び／または時間帯によって異なる場合に、単価の安い期間及び／または時間帯の順に優先順位を付与する優先順位設定部を備え、制御部は、優先順位設定部で付与された優先順位に基づいて古紙処理部を稼動する。
【００１０】
更に、本発明にかかる古紙処理装置は、古紙に加水し攪拌処理する攪拌槽及び前記攪拌槽で得られた古紙の含水攪拌物を後処理する後処理部を設けてなる古紙処理部と、前記古紙処理部の動作を制御する制御部とを備えた古紙処理装置であって、前記古紙処理部の雰囲気温度を検出する温度検出部と、前記古紙処理部の稼動を決定する判断の基準となる温度範囲を設定する温度設定部と、少なくとも古紙処理部に電力を供給する商用電源の電気料金について、所定期間において消費する電力の許容電気料金額を設定する上限額設定部とを備え、制御部は、温度検出部の検出温度と、温度設定部の設定温度範囲と、上限額設定部において設定された金額とに基づいて前記古紙処理部を稼動する。
【００１１】
更に、前記構成において、少なくとも古紙処理部に電力を供給する商用電源の電気料金の単価が、電力会社との契約により期間及び／または時間帯によって異なる場合に、単価の安い期間及び／または時間帯の順に優先順位を付与する優先順位設定部を備え、制御部は、優先順位設定部で付与された優先順位に基づいて古紙処理部を稼動する。
【００１３】
更に、前記各構成において、古紙処理部の運転を停止する少なくとも期間、曜日、日付または時間帯のいずれかを設定する停止条件設定部を備えてなる。
【発明の効果】
【００１４】
本発明にかかる古紙処理装置の制御部は、上限額設定部において設定された金額に基づいて古紙処理部を稼動する場合には、古紙処理に要する費用の管理を容易に行うことができる。
【００１５】
また、制御部は、古紙処理部の所定時間の稼動により消費する電力と、電気料金の単価とから、古紙処理部の稼動に必要となる電気料金を試算し、得られた試算額に基づいて古紙処理部を稼動する場合には、古紙処理部を稼動することで消費する電力の料金が、上限額設定部において設定された金額を越えるかどうかを容易に判断することができる。
【００１６】
また、制御部は、古紙処理部の所定時間の稼動により実際に消費した電力と、電気料金の単価とから、実際に消費した電力の電気料金を演算し、演算の結果得られた金額に基づいて古紙処理部を稼動する場合には、古紙処理部を稼動することで消費する電力の料金が、上限額設定部において設定された金額を越えるかどうかをより正確に判断することができる。
【００１７】
電気料金の単価が、電力会社との契約により期間及び／または時間帯によって異なる場合に、単価の安い期間及び／または時間帯の順に優先順位を付与する優先順位設定部を備え、制御部は、優先順位設定部で付与された優先順位に基づいて古紙処理部を稼動する場合には、優先順位を高く設定した期間及び／または時間帯は、古紙処理部の稼働時間を長くし、優先順位を低く設定した期間及び／または時間帯は、稼動時間を短くすることができる。よって、電気料金の上限額に基づきつつより多くの古紙を処理することができる。
【００１８】
また、温度検出部と、温度設定部と、上限額設定部とを備え、制御部は、温度検出部の検出温度と、温度設定部の設定温度範囲とに基づいて古紙処理部を稼動するに際し、上限額設定部において設定された金額の範囲内で古紙処理部を稼動する場合には、古紙処理部の雰囲気温度が高く古紙の処理効率が良好な環境にある場合にのみ、電気料金の上限額に基づきつつ古紙処理を行うよう制御することができ、消費する電力に対する古紙の処理量を増大させ、電気料金をより安くすることができる。
【００１９】
また、制御部は、温度検出部の検出温度と、温度設定部の設定温度範囲とに基づいて古紙処理部を稼動するに際し、優先順位設定部で付与された優先順位に基づいて古紙処理部を稼動する場合には、雰囲気温度が高く古紙の処理効率の良好な環境において、電気料金が安い時間帯に優先して古紙処理を行うよう制御でき、電気料金をより安くすることができる。
【００２１】
また、停止条件設定部を備えた場合には、ユーザが古紙処理部の運転を停止する条件を自由に設定することができる。
【図面の簡単な説明】
【００２２】
【図１】本発明の一実施形態に係る古紙処理装置の構成概略図である。
【図２】前記古紙処理装置の古紙供給部の構成概略図である。
【図３】前記古紙処理装置の古紙供給部の一部及び古紙パルプ製造部の構成概略図である。
【図４】前記古紙処理装置の脱墨部の平面図である。
【図５】前記古紙処理装置の抄紙部の構成概略図である。
【図６】前記古紙処理装置の制御部の参考例のブロック図である。
【図７】前記制御部の参考例のフローチャートである。
【図８】古紙処理装置の制御部の他の参考例のブロック図である。
【図９】前記制御部の他の参考例のフローチャートである。
【図１０】古紙処理装置の制御部の更に他の参考例のブロック図である。
【図１１】前記制御部の更に他の参考例のフローチャートである。
【図１２】本発明の一実施形態に係る古紙処理装置の制御部のブロック図である。
【図１３】前記制御部のフローチャートである。
【図１４】本発明の他の実施形態に係る古紙処理装置の制御部のブロック図である。
【図１５】前記制御部のフローチャートである。
【図１６】本発明の更に他の実施形態に係る古紙処理装置の制御部のブロック図である。
【発明を実施するための形態】
【００２３】
以下、本発明の実施の形態を図面に基づいて説明する。図１は、本発明にかかる古紙処理装置の構成概略図である。図１において、古紙処理装置１は、古紙処理部１５及び制御部８を備えている。古紙処理部１５は、古紙供給部２、古紙パルプ製造部３、貯留部４、脱墨部５、抄紙部６、仕上げ部７を備えている。貯留部４、脱墨部５、抄紙部６及び仕上げ部７は、古紙パルプ製造部３の攪拌槽３２で得られた古紙の含水攪拌物を後処理する後処理部９を構成する。
【００２４】
(古紙供給部）
図２は、古紙供給部２の構成概略図である。古紙供給部２は、分離搬送部２１、細断部２２、細断屑貯留部２３及び細断屑搬送部２４を備えている。分離搬送部２１は、載置台２１１を備えており、この載置台２１１上に載置された古紙１０のうち最上位の古紙１０を分離し、細断部２２に搬送する。細断部２２は、一対の細断刃２２１を備えている。細断屑貯留部２３は、生成した細断屑１１を貯留する。細断屑搬送部２４は、細断屑貯留部２３の下部より下方に排出された細断屑１１を空気流によって古紙パルプ製造部３へ搬送する。細断屑搬送部２４は、送風機２４１、搬送用ダクト２４２、及び図３に示す細断屑１１の放出用サイクロン２４３を備えている。
【００２５】
(古紙パルプ製造部)
図３は、古紙パルプ製造部３の構成概略図である。古紙パルプ製造部３は、計量部３１、攪拌槽３２を備えている。計量部３１は、細断屑搬送部２４により搬送された細断屑１１の重量を計測する。攪拌槽３２は、古紙１０に加水し攪拌処理するものである。この攪拌槽３２は、計量後の細断屑１１が投入され、図示しない給水部から水が供給される。攪拌槽３２の下部には細断屑１１と水とを攪拌する攪拌手段３４と、攪拌手段３４の攪拌によって製造された含水攪拌物としての古紙パルプ液を取り出す取出部３５とを備えている。
【００２６】
（貯留部）
図１に示す貯留部４は、古紙パルプ製造部３から送られた古紙パルプ液を一旦貯留するとともに、下流側の脱墨部５へ供給するものであり、図示しない貯留タンクを備えている。
【００２７】
(脱墨部)
図４に脱墨部５の平面図を示す。脱墨部５は、脱墨槽５１、ブレード５３及び受泡槽５５を備えている。脱墨槽５１は、トナー成分等を古紙パルプ液から分離して脱墨処理を行うものであり、古紙パルプ液を流通させる。ブレード５３は、脱墨槽５１の上部を浮遊する泡沫を、脱墨槽５１の周壁から溢流させ掃き出す。受泡槽５５は、脱墨槽５１の外周を取り囲んで設けられる。受泡槽５１は、ブレード５３により掃き出された泡沫を受け止める。そして、脱墨槽５１の底部には、古紙パルプ製造部３から送られた古紙パルプ液を脱墨槽５１内へ流入させる流入部５６と、脱墨処理後の古紙パルプ液を流出させる流出部５７とを設けている。
【００２８】
(抄紙部)
図５は抄紙部６の構成概略図である。抄紙部６は、ヘッドボックス６１、ワイヤー部６２、脱水部６３、乾燥部６４を備えている。ヘッドボックス６１は、箱状の貯留部６１１と、貯留部６１１の下部に配管６１３が接続されてなる古紙パルプ液の流入部６１４と、古紙パルプ液を貯留部６１１から溢流させ、ワイヤー部６２へ流出させる流出部６１５とを備えている。
【００２９】
ワイヤー部６２は、抄き網６２１を備えている。抄き網６２１は、無端状のメッシュベルトにより構成され、複数のローラ６２２に掛け渡される。図５において、右側のローラ６２２ａは、ワイヤー駆動部６２３に連結され、ワイヤー駆動部６２３の駆動により抄き網６２１が周回走行する。
【００３０】
抄き網６２１の上面に、ヘッドボックス６１の流出部６１５から古紙パルプ液を流出させ、抄き網６２１で水切りして繊維の層をなす湿紙１２を形成する。抄き網６２１の内方には、上側を走行する抄き網６２１の網目から流下する水を受ける受水部６２４を設けている。受水部６２４は図示しない白水タンクに接続され、受水した水を白水タンクへ導くようになっている。
【００３１】
脱水部６３は、吸水ベルト６３１を有する。吸水ベルト６３１は、フェルト等により構成され、複数のローラ６３２及びプレスローラ６３４ｂに掛け渡されている。この吸水ベルト６３１は、抄き網６２１から転移させた湿紙１２を搬送するとともに、湿紙１２から水分を吸収し、脱水する。
【００３２】
乾燥部６４は、乾燥ベルト６４１、カンバス６４２、乾燥ローラ６４３を有する。乾燥ベルト６４１は、吸水ベルト６３１から転移された湿紙１２を搬送する。この乾燥ベルト６４１は、ローラ６４５、プレスローラ６３４ａ及び乾燥ローラ６４３に掛け渡されている。
【００３３】
吸水ベルト６３１と乾燥ベルト６４１との接触部分に、脱水手段６３３を設けている。脱水手段６３３は一対のプレスローラ６３４ａ，６３４ｂからなり、該一対のプレスローラ６３４ａ，６３４ｂで、吸水ベルト６３１と乾燥ベルト６４１との間に挟んだ湿紙１２を押圧して脱水する。脱水手段６３３を通過した湿紙１２は、吸水ベルト６３１から乾燥ベルト６４１に転移される。
【００３４】
図５において、上側のプレスローラ６３４ａは、プレス駆動部６３７に連結され、プレス駆動部６３７の駆動により回転し、下側のプレスローラ６３４ｂは上側のプレスローラ６３４ａの回転に伴って従動回転する。そして、両プレスローラ６３４ａ，６３４ｂの回転に伴って、吸水ベルト６３１及び乾燥ベルト６４１を走行させる。
【００３５】
カンバス６４２は、網状をなす樹脂製であり、複数のローラ６４６に掛け渡され、展張されている。カンバス６４２は、乾燥ベルト６４１との間で湿紙１２を挟持して搬送し、乾燥ベルト６４１を介して乾燥ローラ６４３に湿紙１２を圧接させて乾燥させる。図５において、右側の上のローラ６４６ａは、カンバス駆動部６４７に連結され、カンバス駆動部６４７の駆動によりカンバス６４２が周回走行する。
【００３６】
乾燥ローラ６４３は複数の支持軸６５０により回転自在に支持される。乾燥ローラ６４３の内部には加熱手段６４８を備えている。加熱手段６４８としては電熱ヒータ等を用いることができる。また、乾燥ローラ６４３には、接触式の温度センサ６４９を設けており、この温度センサ６４９により乾燥ローラ６４３の表面温度を検出する。
【００３７】
（仕上げ部）
図１に示す仕上げ部７は、図示しないカレンダー部及びカット部を有しており、カレンダー部は紙の平坦度を上げるための複数のプレスローラを備え、カット部は紙を所定のシートサイズにカットする裁断刃（図示省略）を備えている。
【００３８】
図６は古紙処理装置１の制御部８の参考例１に係るブロック図を示す。古紙処理装置１には、ユーザからの古紙処理装置１の運転開始及び停止を含む各種の入力操作を受け付け、制御部８へ送る操作部７１を設けている。操作部７１は、表示部７２を兼ねたタッチパネル方式の液晶表示器、テンキー、各種ボタン、スイッチ等を備えている。
【００３９】
制御部８は、稼動制御部８１、内部時計８２、稼動条件設定部８３、稼動演算部８４、記憶部８５を備えている。稼動制御部８１は、古紙供給部２、古紙パルプ製造部３、貯留部４、脱墨部５、抄紙部６、仕上げ部７からなる古紙処理部１５全体の動作を制御する。稼動制御部８１は、古紙１０に加水し、攪拌処理し、得られた古紙の含水攪拌物を後処理して再生紙１３を製造する再生紙製造制御部８１１と、各部の洗浄処理を行う洗浄制御部８１２とを備えている。
【００４０】
内部時計８２は、運転開始時刻及び運転停止時刻に達したときに指示信号を稼動制御部８１に入力するものである。この内部時計８２に替えて、制御部８の外部に配設する外部時計が所定時刻に達したときに発する指示信号または外部機器から発する指示信号を入力ポートより入力する構成としても構わない。
【００４１】
稼動条件設定部８３は、古紙処理部１５の稼動条件を設定するものであり、ユーザが操作部７１より入力した稼動条件に関する情報を設定する。稼動条件設定部８３は、停止条件設定部８３０、処理量設定部８３４、節約設定部８３５を備えている。
【００４２】
停止条件設定部８３０は、古紙処理部１５の運転を停止する少なくとも期間、日付または時間帯のいずれかを設定する。この停止条件設定部８３０は停止日設定部８３１を備えており、停止日設定部８３１は、企業の休業日である等の理由により、古紙処理部１５の運転を停止する曜日や日付を設定するものである。停止日設定部８３１は、土曜や日曜といった一週間のうちのある決まった曜日を停止日として設定する曜日設定部８３２と、祝日や祭日、夏季や年末年始の長期休暇等の特定の日付を停止日として設定する日付設定部８３３とを備えている。
【００４３】
処理量設定部８３４は、所定期間における古紙１０の処理量を設定する。処理量の設定方法としては、一年や一ヶ月といった所定期間について、Ａ４等の古紙１０のサイズ及び処理すべき枚数を処理量として設定する方法や、古紙１０の重量を処理量として設定する方法等が挙げられる。
【００４４】
節約設定部８３５は、古紙１０の処理に要する電気料金を、通常運転時より安くするための条件を設定する。節約設定部８３５は優先順位設定部８３６を備えている。この優先順位設定部８３６では、古紙処理部１５に電力を供給する商用電源の電気料金の単価が、電力会社との契約により期間及び／または時間帯によって異なる場合に、単価の安い期間及び／または時間帯の順に優先順位を付与する。電気料金の単価は、例えば、季節別には７月から９月までの夏季期間と夏季以外の期間とでそれぞれ異なる金額とされる場合があり、この場合、電力需要が高まる夏季期間中は夏季以外の期間より単価が高額とされる。このため、優先順位設定部８３６は、一年を複数の期間に区分し、区分された期間に優先的順位を付与する期間設定部８３７を備えている。
【００４５】
下記表１は、期間設定部８３７において、１０月１日から６月３０日までの夏季以外の期間を優先順位１位に、７月１日から９月３０日までの夏季期間を優先順位２位とする２つの期間を設定する場合を示す。
【００４６】
【表１】
0005891533.tif 000002
【００４７】
稼動演算部８４は、優先順位設定部８３６で付与された優先順位に基づいて古紙処理部１５を稼動するための演算を行う。具体的には、処理量設定部８３４において設定された量の古紙１０を処理するために必要となる稼動時間を演算し、得られた稼動時間を、優先順位設定部８３６で優先順位が高く設定された期間から順に割り振るよう演算を行う。そして、稼動演算部８４で得られた演算結果に応じて、稼動制御部８１により古紙処理部１５を稼動する。
【００４８】
図７は、参考例１にかかる稼動演算部８４が、稼動条件設定部８３の設定に基づき古紙処理部１５の稼動時間を割り振るためのフローの一例を示す。まず、Ｓ１で、停止日設定部８３１において設定された曜日及び日付を基に、毎月の稼動日数を演算する。この結果、例えば、４月１日から３月３１日までの一年間で、表１において優先順位が１位である４月１日から６月３０日までと１０月１日から３月３１日までの期間の月毎の稼動日数が、下記表２のようになったとする。
【００４９】
【表２】
0005891533.tif 000003
【００５０】
次に、Ｓ２で、稼動時間を演算する。その際、例えば、処理量設定部８３４において一年間で１００万枚を処理するよう設定したとし、また、再生紙製造制御部８１１によって古紙処理部１５を８時間稼動することで２，５００枚の古紙１０を処理可能であったとする。そして、洗浄制御部８１２は、配管やポンプ等における古紙パルプの詰まり防止のため、古紙処理部１５の洗浄処理を、８時間稼動毎に１時間かけて行うこととする。これより、洗浄処理を含めた９時間の間に、古紙１０を２,５００枚処理できる能力を有するとする。
【００５１】
処理量設定部８３４において設定した１００万枚を４月１日より３月３１日までの一年間に処理するためには、２，５００枚の処理を行う９時間を１セットとして演算した場合に１，０００，０００枚／２，５００枚×９時間＝３，６００時間、即ち、一年間の稼動時間は３，６００時間となる。
【００５２】
Ｓ３で、一年間の稼動時間として演算された３，６００時間を、期間設定部８３７で設定された優先順位に従って割り振る。一日は２４時間であるので、３，６００時間の稼動に必要となる日数は、３，６００時間／２４時間＝１５０日となる。表２より、４月、５月、６月及び１０月、１１月、１２月、１月の６ヶ月間の稼動日数の合計は、１４０日となる。１５０日から１４０日を差引くと１０日となる。
【００５３】
よって、期間設定部８３７で優先順位が１位に設定された期間のうち、４月、５月、６月及び１０月、１１月、１２月、１月で稼動日とされた全ての日に稼動し、更に２月中に１０日間を稼動することで、処理量設定部８３４において設定した処理量を達成することができる。この条件では、期間設定部８３７で優先順位が２位に設定された期間には、古紙処理を行わないこととなる。
【００５４】
ここで、優先順位が２位の７月１日から９月３０日までの夏季期間中は運転を長期間中断する。もし、古紙処理部１５の内部に液体を貯留させたまま放置する場合には、古紙パルプ液や白水の腐敗、古紙パルプの乾燥による配管やポンプの詰まりといった問題が生じる恐れがある。
【００５５】
そこで、６月の最終稼働日の１５時以降に行った洗浄制御部８１２による洗浄処理の後は、再生紙製造制御部８１１によって新たな古紙処理を行わないこととする。更に、洗浄制御部８１２による洗浄工程で各部の洗浄処理に用いた洗浄液も全て廃棄しておくことが好ましい。この６月３０日の１５時以降の洗浄制御部８１２による洗浄処理が完了する時刻の演算方法を説明する。まず、６月の最終稼動日は、４月の運転開始日から６１日目にあたる。６月の最終稼動日の夜２４時に稼動終了すると仮定した場合に、４月からの累積稼動時間が、２４時間×６１日＝１，４６４時間となる。次に、８時間毎の洗浄処理が完了する時刻は、１，４６４時間／９時間＝１６２セットあまり６時間となるため、２４時−６時間＝１８時、即ち６月の最終稼動日の１８時に洗浄処理が完了することが分かる。
【００５６】
よって、６月の最終稼動日には、稼動制御部８１による古紙処理部１５の運転を１８時に停止する。そして、１０月の最初の稼動日に運転を再開する。６月の最終稼動日に未処理となった６時間分の古紙１０については、２月の稼動日を一日増やして１１日間とし、この１１日目に６時間稼動し、運転を停止することになる。
【００５７】
装置内部での紙詰まりや載置台２１１上に載置される古紙１０が不足していた場合等何らかの理由により、稼動制御部８１による運転が中断した場合には、制御部８は、停止時刻及び再開時刻を記憶部８５に記憶し、稼動演算部８４は、記憶部８５に記憶した情報を基に中断した時間を演算し、古紙処理が中断した時間分を、２月の稼動時間に追加するようにしてもよい。これにより、エラー発生時においても処理量設定部８３４の設定処理量の処理を達成することができる。
【００５８】
以下、上記構成の作用を説明する。古紙処理装置１の運転に際してユーザは、操作部７１より、古紙処理部１５の稼動条件を入力する。ここで、ユーザが稼動条件の入力を行わなかった場合には、制御部８は、稼動条件設定部８３の設定に基づいた運転を行うことなく、ユーザによる運転開始ボタンの押圧後、直ぐに古紙処理部１５の運転を開始し、載置台２１１上に載置された全ての古紙１０を処理し終わった後、また必要により、洗浄処理を行った後、運転を停止する。
【００５９】
稼動条件が設定された場合、制御部８は稼動条件設定部８３の設定に基づいて古紙処理部１５を稼動する。具体的には、稼動演算部８４で演算した結果得られた稼動日に、古紙処理部１５を稼動する。その際、再生紙製造制御部８１１は、図２に示す載置台２１１に載置された古紙１０のうち最上の古紙１０を一枚ずつ分離搬送部２１により分離し細断部２２へ搬送し、一対の細断刃２２１により細断する。生成した細断屑１１を、細断屑貯留部２３に貯留した後、送風機２４１を駆動することで、細断屑搬送部２４により、図３に示す古紙パルプ製造部３の計量部３１へ搬送する。
【００６０】
計量部３１では、細断屑搬送部２４により搬送され、放出用サイクロン２４３から放出された細断屑１１の重量を計測し、細断屑１１の重量が所定量に達した時点で、送風機２４１を止めて細断屑１１の搬送を一旦停止する。そして、計量後の細断屑１１を攪拌槽３２へ投入する。その後、給水部から攪拌槽３２へ給水を行い、攪拌手段３４を作動することで、離解処理を行って古紙の含水攪拌物としての古紙パルプ液を調製する。
【００６１】
調製された古紙パルプ液は、取出部３５から取出され、貯留部４へ送られる。空になった攪拌槽３２へは、新たに細断屑１１が投入され、２回目のバッチ式離解処理が開始される。
【００６２】
図１に示す貯留部４では、古紙パルプ液を一旦貯留し、後段の脱墨部５に所定流量で連続的に供給する。その際、制御部８は、貯留タンク内に貯留する１回目の離解処理により得られた古紙パルプ液が全て脱墨部５へ供給され、貯留部４内の古紙パルプ液がなくなる前に、古紙パルプ製造部３において、２回目の離解処理で得られた古紙パルプ液を、貯留タンクへ流入させるよう制御する。これにより、貯留タンクに、古紙パルプ液を途切れることなく継続して貯留し、脱墨部５に連続的に供給することができる。
【００６３】
貯留部４より脱墨部５に送られた古紙パルプ液は、図４に示す脱墨槽５１内を流通され、脱墨処理が行われた後、図５に示す抄紙部６に送られる。抄紙部６では、脱墨後の古紙パルプ液をヘッドボックス６１へ流入させ、流出部６１５から抄き網６２１上面へ供給し、均一な繊維の層である湿紙１２を形成する。抄き網６２１から流下した水は、受水部６２４に受け止められ、白水タンクに収容される。
【００６４】
白水タンク内の白水は、必要により、フィルターによる異物の除去、インク、トナー等の分離、薬剤の添加、中和処理等が施された後、図１に示すように、古紙パルプ製造部３の給水部へ循環され、再度利用される。
【００６５】
図５に示す抄き網６２１上に形成された湿紙１２は、抄き網６２１と吸水ベルト６３１との当接部分で吸水ベルト６３１へ転移され、吸水ベルト６３１により湿紙１２に含まれる水分が吸収されて脱水される。湿紙１２が脱水手段６３３の設置箇所に至ると、吸水ベルト６３１と乾燥ベルト６４１との間に該湿紙１２が挟まれた状態で、一対のプレスローラ６３４ａ，６３４ｂにより両側より押圧され脱水されるとともに、吸水ベルト６３１から乾燥ベルト６４１へ転移される。
【００６６】
乾燥ベルト６４１に転移された湿紙１２は、カンバス６４２との間に挟まれ、この状態で乾燥ローラ６４３に乾燥ベルト６４１を介して圧接され、乾燥される。このとき、温度センサ６４９によって乾燥ローラ６４３の表面温度が検出される。制御部８は、温度センサ６４９から送られる乾燥ローラ６４３の表面温度と、予め設定した温度との比較を行って、乾燥ローラ６４３の表面温度を予め設定した温度に維持するよう制御する。
【００６７】
乾燥部６４を出た仕上げ前の再生紙１３は図示しない複数のプレスローラの間に通され、これにより、仕上げ前の再生紙１３の平坦度を向上させ、更に、裁断刃で所定のシートサイズに裁断して再生紙１３が完成する。
【００６８】
裁断刃により裁断された再生紙１３の端材は、図１に示すように細断屑貯留部２３に戻され、再度再生紙１３の製造に利用される。
【００６９】
洗浄制御部８１２は、古紙パルプ液を貯留または流通した攪拌槽３２、貯留タンク、脱墨槽５１、受泡槽５５、ヘッドボックス６１及びこれらを接続する配管、ポンプ、弁等に、洗浄水を流通させ、外部に排出することで、古紙処理部１５の洗浄処理を行う。洗浄水としては、白水タンク内の白水または水道水等の上水を用いる。
【００７０】
以上より、優先順位設定部８３６において、電気料金の単価の安い期間及び／または時間帯の順に優先順位を付与し、制御部８は、優先順位設定部８３６で付与された優先順位に基づいて古紙処理部１５を稼動する。これにより、優先順位を高く設定した電気料金の単価が安い期間中は、古紙処理部１５の運転時間を長くし、一方、優先順位を低く設定した夏季等の電気料金の単価が他の期間より高い期間中は、古紙処理部１５の稼動時間を他の期間より短くすることができる。よって、古紙処理に要する電気料金を安く抑えることができる。
【００７１】
また、制御部８は、ユーザが操作部７１より入力し、処理量設定部８３４において設定された量の古紙１０を処理するために必要とされる稼動時間について、優先順位設定部８３６の期間設定部８３７で、優先順位が高く設定された期間から順に割り振って古紙処理部１５を稼動するので、古紙処理に要する電気料金を安く抑えつつ目標とする量の古紙を処理することができる。
【００７２】
（参考例２）
古紙処理装置の制御部８の参考例２について以下に説明する。上記参考例１では、停止条件設定部８３０に停止日設定部８３１を備えたが、本参考例２では、これに加え、図８に示すように、一日のうちで運転を停止する時間帯を設定する停止時刻設定部８３８を備えている。停止時刻設定部８３８を加えた以外の他の構成については、上記参考例１と同様である。
【００７３】
停止時刻設定部８３８は、営業時間外等に古紙処理装置１の運転を停止する時間帯を設定するものである。操作部７１のテンキー等を用いてユーザにより入力された停止時刻及び再開時刻が停止時刻設定部８３８に設定される。
【００７４】
図９は、参考例２において、稼動演算部８４が稼動時間を割り振る際のフローの一例を示す。稼動演算部８４は、まず、Ｓ１１で、停止時刻設定部８３８の設定に基づき、一日の稼動時間を演算する。例えば停止時刻設定部８３８で、夜の０時から朝の６時まで古紙処理部１５を停止する設定がされた場合、一日の稼動時間は、６時から２４時までの１８時間となる。
【００７５】
次に、Ｓ１２で、停止日設定部８３１において設定された曜日及び日付を基に、毎月の稼動日数を演算し、稼動日が表２のようになったとする。Ｓ１３で、一年間の稼動時間を演算する。その際、上記参考例１と同様に、処理量設定部８３４において一年間で１００万枚を処理するよう設定したと仮定し、古紙処理部１５が洗浄処理時間を含め９時間で２，５００枚の古紙１０を処理可能であるとすると、一年間の稼動時間は３，６００時間となる。
【００７６】
そして、Ｓ１４で、この３，６００時間を、期間設定部８３７で設定された優先順位に従って割り振る。期間設定部８３７で優先順位が１位に設定された４月、５月、６月及び１０月、１１月、１２月、１月、２月、３月の９ヶ月間の稼動日数は、表２より合計１８１日となり、Ｓ１１の結果より、一日の稼動時間は１８時間なので、優先順位１位の稼動時間は１８時間×１８１日＝３，２５８時間となる。因みに、この優先順位が１位の期間中に処理できる古紙１０の量は、２，５００枚／８時間×１６時間×１８１日＝９０５，０００枚となる。
【００７７】
１年間の稼動時間から優先順位が１位の期間の稼動時間を差し引くと、３，６００時間−３，２５８時間＝３４２時間となる。古紙１０の量にして１，０００，０００枚−９０５，０００枚＝９５，０００枚となる。稼動時間で３４２時間分の古紙１０が、優先順位１位の期間の稼動では処理できないため、優先順位が２位以下に設定された期間に処理するよう割り振りする。優先順位２位の期間の稼動日数は、３４２時間／１８時間＝１９日となる。
【００７８】
これより、一日１８時間の稼動を、優先順位１位の期間の全ての稼動日に加え、２位の期間に１９日間行うことで、処理量設定部８３４において設定した量の古紙１０を処理することができる。よって、例えば７月中に１９日間稼動し、８月及び９月には全く稼動しないようにする。また、この７月のみの稼動に替えて、優先順位が２位の３ヶ月間で、均等に割り振って稼動する場合には、１９日／３ヶ月＝６日あまり１日となり、例えば、７月中に７日間、８月及び９月はともに６日間稼動するなどとする。
【００７９】
（参考例３）
本発明に係る古紙処理装置の制御部８の参考例３を以下に説明する。上記参考例１、２では、優先順位設定部８３６に期間設定部８３７を備え、この期間設定部８３７の設定に基づいて、一年間で電力料金が安い期間から優先的に古紙処理部１５を稼動する構成とした。これに対し、本参考例３では、この期間設定部８３７に替えて、優先順位設定部８３６に一日を電気料金の単価が異なる時間帯に区分し、区分された複数の時間帯のうち電気料金の単価の安い時間帯の順に優先順位を付与する時間帯設定部８３９を備えている。期間設定部８３７を時間帯設定部８３９とした以外の他の構成は、上記参考例２と同様の構成を全て備える。
【００８０】
電力会社との契約内容によっては、電気料金の単価が時間帯に応じて、例えば、８時から２２時までの昼間時間帯と、２２時から翌日８時までの夜間時間帯で異なる場合がある。更に夏季のみは、昼間時間帯のうち電力負荷の高い１０時から１７時までの重負荷時間帯が更に高額な別の単価が設定される場合がある。このように、季節別と時間帯別の両方について異なる単価が設定させている場合に、時間帯設定部８３９は、季節別及び時間帯別の両方を考慮して区分を行い、電気料金が安い期間及び時間帯から順に優先順位を付与する。下記の表３は、時間帯設定部８３９の設定方法の一例を示す。
【００８１】
【表３】
0005891533.tif 000004
【００８２】
表３では、夜の２２時から翌日の朝８時までの時間帯は１年間を通して優先順位１位に設定される。８時から２２時までの時間帯は、１０月１日から６月３０日までの期間について優先順位２位に設定される。そして、７月１日から９月３０日までの夏季の期間について、８時から１０時まで、１７時から２２時まで、及び昼間の１０時から１７時までの時間帯が順に優先順位３位、４位及び５位にそれぞれ設定される。
【００８３】
本参考例３では、処理量設定部８３４に、上記参考例１，２の一年間の処理量に替えて、一ヶ月間の古紙１０の処理量を設定することとし、例えば、６月の古紙１０の処理量を、Ａ４サイズ１０万枚と処理量設定部８３４に設定したと仮定する。
【００８４】
稼動演算部８４は、処理量設定部８３４の設定に基づき、必要となる稼動時間を演算し、得られた稼動時間を、時間帯設定部８３９の設定で優先順位の高い順に割り振って、稼動日及び稼動時間帯を演算し、得られた演算結果に応じて、稼動制御部８１が古紙処理部１５を稼動する。
【００８５】
図１１は、参考例３に係る稼動演算部８４の演算方法のフローを示す。同図に示すように、まず、Ｓ２１で、一日の稼動時間を演算する。停止時刻設定部８３８において参考例２と同様に、古紙処理部１５を夜の０時から朝の６時まで停止するよう設定する場合、稼動時間は６時から２４時の１８時間となる。
【００８６】
次に、Ｓ２２で、一ヶ月の稼動日数を演算する。参考例１と同様に、停止日設定部８３１の設定に基づいて稼動日を演算し、例えば、表２で６月は一ヶ月の稼動日数が２２日となっている。そして、Ｓ２３で、稼動時間の割り振りを行う。その際、一日の稼動時間である６時から２４時のうち、表３において優先順位が１位の時間帯である２２時から翌日の朝８時までに属する６時から８時までと、２２時から２４時までの時間帯は、Ｓ２２で求めた稼動日には必ず稼動することとする。
【００８７】
この優先順位１位の時間帯の合計４時間に、一ヶ月の稼動日数である２２日を掛け合わせると、４時間×２２日=８８時間となる。洗浄時間を除き８時間稼動して２，５００枚処理可能である古紙処理部１５の場合、１時間当たりの処理量は２，５００枚／８時間＝３１２．５枚／時、即ち１時間当たり３１２．５枚処理可能である。優先順位１位の時間帯で一ヶ月に処理可能な量は、３１２．５×８８＝２７，５００枚となる。
【００８８】
残る処理枚数は、１００，０００枚−２７，５００枚＝７２，５００枚である。表３において、時間帯設定部８３９で優先順位が２位以降に設定された時間帯のうち、６月は優先順位が２位に設定され、その時間帯は、８時から２２時までの１４時間である。優先順位１位の時間帯は稼動日に必ず稼動するようすでに決定したので、優先順位２位の時間帯に稼動する場合には、優先順位１位及び２位の双方の時間帯に稼動することとなる。この場合、一日の稼動時間は６時から２４時までの１８時間となり、その間に、１時間ずつ２回の洗浄処理を行うとし、この２時間を優先順位２位の時間帯である１４時間から差し引く。
【００８９】
この結果、優先順位２位の時間帯で一日１２時間の稼動により処理することのできる古紙１０の量は、３１２．５枚／時×１２時間＝３，７５０枚である。優先順位２位の時間帯について稼動日数を演算する。優先順位２位の時間帯の処理量は、７２，５００枚なので、７２，５００枚／３，７５０枚／時＝１９日あまり１，２５０枚となる。即ち、１９日間稼動し、２０日目は、１，２５０枚／３１２．５枚／時＝４時間、即ち優先順位２位の時間帯に４時間処理することとなる。
【００９０】
よって、６月は、１日目から１９日目までを６時から２４時まで稼動し、２０日目は、６時から１２時まで稼動し、１２時に一旦中断し、２２時に再開し、２４時に終了する。２１日と２２日目は６時から８時と、２２時から２４時までの４時間だけ稼動する。
【００９１】
この場合、２０日から２２日までの処理時間の合計は１６時間である。しかし、これには洗浄処理時間を含んでいない。そこで、例えば、２０日目の運転開始から８時間後と、最終日の２２日の終了１時間前との２回の洗浄処理を行うことにする。この洗浄処理の２時間分を、例えば、２０日目の稼動時間に追加すると、２０日目は、朝の６時に古紙処理部１５の運転開始した後、１２時に中断するところを１４時まで稼動するなどとしてもよい。
【００９２】
処理量設定部８３４に古紙１０の処理量を設定する月が、６月でなく、７月である場合にも、上記した６月の場合と同様に、優先順位１位の時間帯には全ての稼動日に稼動し、この稼動による処理量を除いた残りの量を、優先順位３位以下の時間帯に順番に割り振って稼動時間を演算し、演算結果に基づいて稼動制御部８１が古紙処理部１５を稼動する。
【００９３】
（第１の実施形態）
本発明に係る古紙処理装置の制御部８の第１の実施形態を以下に説明する。図１２に本第１の実施形態に係る制御部８のブロック図を示す。本第１の実施形態では、上記参考例１〜３に加え、新たに古紙処理装置１に電力計測部７３を備えている。そして、上記参考例２における処理量設定部８３４に替えて上限額設定部８４１を、期間設定部８３７に替えて期間単価設定部８４２をそれぞれ備えている。
【００９４】
電力計測部７３は、古紙処理部１５及び制御部８に商用電源から供給される電力を計測するものである。電力計測部７３は、市販品が用いられる。但し、市販品に替えて、古紙処理部１５に電流計と電圧計を設置しこれらの計測値を基に電力量を演算することとしてもよい。
【００９５】
上限額設定部８４１は、少なくとも古紙処理部１５に電力を供給する商用電源の電気料金について、所定期間において消費する電力の許容電気料金額を設定する。所定期間とは、一年間や一ヶ月といったある一定の期間である。消費する電力の許容電気料金額は、ユーザにより操作部７１を用いて入力される。そして、制御部８の稼動演算部８４は、上限額設定部８４１において設定された金額の範囲内で、より多くの古紙１０を処理するように古紙処理部１５を稼動するための演算を行う。稼動制御部８１は、得られた演算結果に基づいて古紙処理部１５を稼動する。
【００９６】
期間単価設定部８４２は、優先順位設定部８３６に設けられる。この期間単価設定部８４２では、電気料金の単価が、電力会社との契約により期間によって異なる場合に、単価の安い期間の順に優先順位を付与する。この期間単価設定部８４２は、参考例１における期間設定部８３７で優先順位を付与したそれぞれの期間に、更に、電気料金の単価額を設定することと同じになる。
【００９７】
よって、例えば、上記参考例１において表１に示した優先的順位を付与したそれぞれの期間に、電力会社との契約により設定されている１ｋＷｈ当たりの電気料金を設定すればよい。下記表４は期間単価設定部８４２において、優先順位１位の１０月１日から６月３０日までの期間に１１円と設定し、優先順位２位の７月１日から９月３０日までの夏季期間に１２円と設定する場合を示す。
【００９８】
【表４】
0005891533.tif 000005
【００９９】
そして、制御部８の稼動演算部８４は、優先順位設定部８３６で付与された優先順位に基づいて古紙処理部１５を稼動するための演算を行い、稼動制御部８１は、得られた演算結果に基づいて古紙処理部１５を稼動する。
【０１００】
本第１の実施形態における記憶部８５には、再生紙製造制御部８１１が古紙処理を行う際及び洗浄制御部８１２が洗浄処理を行う際にそれぞれ必要となる電力を、予め記憶している。例えば、再生紙製造制御部８１１による古紙１０の再生処理に４ｋＷｈ、また、洗浄制御部８１２による洗浄処理に１ｋＷｈなどと記憶している。
【０１０１】
図１３に、稼動演算部８４における演算方法のフローの一例を示す。まず、Ｓ３１で、一日の稼動時間Ｔ０を演算する。上記参考例２と同様に、停止時刻設定部８３８で夜の０時から朝の６時まで古紙処理部１５を停止する設定を行った場合、一日の稼動時間Ｔ０は１８時間となる。洗浄処理時間を含め９時間で２，５００枚の古紙１０を処理可能な古紙処理装置では、一日に１８時間稼動することで５，０００枚の古紙１０が処理可能となる。
【０１０２】
次に、Ｓ３２で、上限額設定部８４１で設定された上限金額を残高Ｍとする。仮に、上限額設定部８４１において、４月の電気料金の上限額を、例えば、１万円に設定したとすると、Ｍ＝１０，０００円となる。
【０１０３】
そして、Ｓ３３で、期間単価を取得する。期間単価は、期間単価設定部８４２で期間毎に設定された１ｋＷｈあたりの電気料金の金額である。例えば、４月についていえば、表４より優先順位１位となるので、１ｋＷｈあたりの電気料金が１１円となる。
【０１０４】
Ｓ３４に進み、ｎ＝１とする。ｎは、稼動時間Ｔｎから差し引く時間の数である。Ｓ３５で、Ｔｎ−１から（ｎ−１)を差し引いた値をＴｎとする。Ｓ３４でｎ＝１とした直後のＴｎ−１はＳ３１で設定したＴ０即ち１８時間となり、Ｔ１＝１８−（１−１)＝１８となる。Ｓ３６に進み、Ｔｎ＞０を満たすかどうか確認し、Ｔｎ＞０を満たすとき、Ｓ３７に進む。
【０１０５】
Ｓ３７で、試算額ｍを演算する。試算額ｍは、古紙処理部１５の所定時間の稼動により消費する電力と、電気料金の単価とから、古紙処理部１５の稼動に必要となる電気料金の金額として算出される。所定時間はＳ３５で演算したＴｎである。試算額ｍは、仮に洗浄処理を行うことなく、所定時間Ｔｎを全て古紙１０の再生処理に費やしたとして演算を行う。１日目の試算額ｍは、１１円×１８時間×４ｋＷｈ＝７６２円となる。Ｓ３８で、残高Ｍと得られた試算額ｍとを比較し、Ｍ＞ｍを満たせば、所定時間Ｔｎの稼動が決定され、Ｓ３９に進む。Ｓ３８でＭ＞ｍを満たさなければ、Ｓ４２に進む。
【０１０６】
Ｓ４２で、ｎ＝ｎ＋１とし、Ｔｎから差し引く時間数を１加算し、Ｓ３５に戻り、Ｓ３８でＭ＞ｍを満たすまでＳ３５，Ｓ３６，Ｓ３７，Ｓ４２の流れを繰り返す。これにより、一日の稼動時間について、所定時間Ｔｎから１時間ずつ短くして古紙処理部１５を稼動するための演算を行う。
【０１０７】
Ｓ３９で、稼動制御部８１により古紙処理部１５を所定時間Ｔｎ稼動する。Ｓ４０で、電気料金を演算する。Ｓ４０において演算する電気料金は、古紙処理部１５及び制御部８の所定時間Ｔｎの稼動により実際に消費した電力と、電気料金の単価とから算出される実際に消費した電力の電気料金である。ここでは、１日目の１８時間の稼動によりかかった金額となる。
【０１０８】
実際に消費した電力は、電力計測部７３の計測値より得られる。電気料金の単価は、期間単価設定部８４２で設定された単価である。電気料金は、これらを掛け算することにより演算する。Ｓ３７における試算額ｍの演算の際には、所定時間Ｔｎ全てを再生紙製造制御部８１１によって古紙１０の再生処理を行ったと仮定し、電力を４ｋＷｈとした。しかし、実際には、所定時間Ｔｎの稼動中、洗浄処理を一回につき１時間かけて行い、１８時間稼動した場合にはこの洗浄処理を２回行うため、この間１ｋＷｈの電力しか消費しない。従って、実際にかかった電気料金は試算ｍよりも安い金額となる。
【０１０９】
Ｓ４１で、残高Ｍの更新を行う。残高Ｍは、Ｓ４０で演算した実際の消費電力の電気料金を、Ｓ３２で設定した残高Ｍから差し引き、新たな残高Ｍとすることで更新される。そして、Ｓ３３に戻り、２日目の期間単価を取得する。その後、Ｓ３３からＳ４２までの流れを繰り返し行い、Ｓ３６でＴｎ＞０を満たさなくなったとき稼動時間が０となり終了する。
【０１１０】
優先順位が２位の７月から９月までの期間については、試算額の演算の際、１ｋＷｈあたりの料金を１２円として上記と同様に、試算額を演算し、稼動日及び稼動時間を演算する。
【０１１１】
このように、制御部８は、上限額設定部８４１において設定された金額の範囲内で古紙処理部１５を稼動するので、古紙１０の再生処理に要する費用の管理を容易に行うことができる。また、制御部８は、古紙処理部１５の所定時間Ｔｎの稼動により実際に消費した電力と、電気料金の単価とから、実際に消費した電力の電気料金を演算し、演算の結果得られた金額に基づいて古紙処理部１５を稼動するので、稼動した結果、消費電力の料金が上限額設定部８４１において設定された金額を越えるかどうかをより正確に見極めることができる。
【０１１２】
また、稼動演算部８４は、古紙処理部１５の所定時間の稼動により消費する電力と、電気料金の単価とから、古紙処理部１５の稼動に必要となる電気料金を試算し、得られた試算額ｍに基づいて古紙処理部１５を稼動するので、古紙処理部１５を稼動することで、上限額設定部８４１において設定された金額を越えるかどうかの判断を容易に行うことができる。
【０１１３】
（第２の実施形態）
本発明に係る古紙処理装置の制御部８の第２の実施形態を以下に説明する。図１４は、本第２の実施形態のブロック図を示す。本第２の実施形態に係る制御部８では、上記第１の実施形態における期間単価設定部８４２に替えて時間帯単価設定部８４３を備えている。時間帯単価設定部８４３以外は、上記第１の実施形態と同一の構成を備える。
【０１１４】
時間帯単価設定部８４３は、優先順位設定部８３６に設けられる。この時間帯単価設定部８４３は、電気料金の単価が、電力会社との契約により期間及び時間帯の双方に対応して異なる場合に、単価の安い期間及び時間帯の順に優先順位を付与するとともに単価を設定する。この時間帯単価設定部８４３は、参考例３における時間帯設定部８３９で優先順位を付与した各区分に、更に、電気料金の単価額を設定することと同じである。例えば、下記表５に示すように、優先順位を付与された期間及び時間帯の区分に、電力会社との契約による１ｋＷｈ当たりの電気料金を設定する。
【０１１５】
【表５】
0005891533.tif 000006
【０１１６】
表５では、優先順位１位の２２時から翌日の８時までの時間帯は１年間を通して８円に設定される。優先順位２位の８時から２２時までの時間帯は１０月１日から６月３０日までの夏季以外の期間について１２円に設定される。そして、７月１日から９月３０日までの夏季の期間について、優先順位が３位及び４位とされた８時から１０時までと、１７時から２２時までの単価は１２円に、優先順位が５位とされた１０時から１７時までの時間帯の単価は最も高い１７円に設定される。表２では、優先順位２位、３位、４位の単価がいずれも１２円で同額となっている。
【０１１７】
制御部８の稼動演算部８４は、上限額設定部８４１で設定された範囲内で、より多くの古紙１０を処理するよう稼動時間の割り振りを演算する。演算方法の一例を図１５に示す。まず、同図のＳ６１で、上限額設定部８４１で設定された上限額を残高Ｍとする。例えば、４月の電気料金の上限額を１万円に設定したとすると、Ｍ＝１０，０００円となる。次に、Ｓ６２で、優先順位１位の時間帯における単価を取得する。４月は、表５より２２時から翌日８時までが優先順位１位の時間帯となり、１ｋＷｈあたりの電気料金は８円である。
【０１１８】
Ｓ６３で、優先順位１位の時間帯の試算額ｍ１を演算する。停止時刻設定部８３８で、古紙処理部１５を夜の０時から朝の６時まで停止するよう設定した場合、この０時から６時を除いた６時から２４時の時間帯のうち、表５において優先順位が１位の時間帯である２２時から翌日８時までに属する時間帯は、６時から８時までと、２２時から２４時までの合計４時間である。
【０１１９】
Ｓ６３における試算額ｍ１の演算では、優先優位１の時間帯について、４月の残り全ての稼動日に稼動したとし、この場合に必要となる電気料金を演算する。４月の稼動日は、表１より２０日であるとし、試算額ｍ１は、この２０日間は優先順位１位の時間帯である４時間を全て再生紙製造制御部８１１により古紙１０の再生処理を行ったとして、８円×４ｋＷｈ×４時間×２０日＝２，５６０円、即ち、試算額ｍ１＝２，５６０円となる。Ｓ６４で、得られた電気料金の試算額ｍ１と残高Ｍとを比較し、Ｍ＞ｍ１を満たせば、優先順位１位の稼動が決定し、Ｓ６５に進む。
【０１２０】
Ｓ６５で、表５より、時間帯単価設定部８４３で優先順位２位に設定された時間帯の電気料金の単価１２円を取得する。そして、Ｓ６６で、ｎ＝１とし、Ｓ６７で、Ｔｎ−１からｎ−１を差し引いた値をＴｎとする。尚、この場合Ｓ６７のＴ０は優先順位２位の時間帯の稼動時間である８時から２２時の１４時間になる。Ｓ６８で、Ｔｎ＞０を満たすかどうか確認し、Ｔｎ＞０を満たすとき、Ｓ６９に進む。Ｓ６９で、優先順位２位の時間帯に古紙処理部１５を稼動した場合の試算額ｍ２を演算する。優先順位２位の時間帯の稼動時間は、８時から２２時の１４時間であり、試算額ｍ２は、再生紙製造制御部８１１により１４時間を全て古紙１０の再生処理を行ったとして、１２円×４ｋＷｈ×１４時間＝６７２円となる。
【０１２１】
Ｓ７０で、Ｓ６３で演算した優先順位１位の１ヶ月分試算額ｍ１と、Ｓ６９で演算した優先順位２位の一日分の試算額ｍ２を加えると、試算額ｍ＝ｍ１＋ｍ２＝２，５６０＋６７２円＝３，２３２円となり、Ｓ７１で、残高ＭとＳ７０で演算した試算額ｍとを比較する。
【０１２２】
Ｓ７１で、Ｍ＞ｍを満たさない場合には、優先順位２位の稼動時間を１４時間より短くして古紙処理部１５を稼動するためＳ７５に進み、ｎ＝ｎ＋１とし、Ｔｎから差し引く時間数を１加算し、Ｓ６７に戻る。そして、Ｓ６７，Ｓ６８，Ｓ６９，Ｓ７０，Ｓ７１，Ｓ７５の流れを繰り返し行う。Ｓ７１でＭ＞ｍを満たすとき優先順位１位及び２位の時間帯の双方の時間帯に稼動することを決定する。Ｓ６８でＴ＞０を満たさないときには、優先順位２位の時間帯には古紙処理部１５を稼動せず、Ｓ６４で稼動が決定した優先順位１位の時間帯のみの稼動を決定する。そして、Ｓ７２へ進み、古紙処理部１５を稼動制御部８１によって稼動する。
【０１２３】
その後、Ｓ７３に進み、１日目の稼動により実際にかかった電気料金を演算する。Ｓ７４に進み、この実際にかかった電気料金を残高Ｍから差し引いて新たな残高Ｍとする。これにより、残高の更新を行う。そして、Ｓ６２に戻り、２日目以降についても１日目と同様に、Ｓ６２乃至Ｓ７５までの流れから稼動時間を演算し、演算結果を基に稼動制御部８１によって古紙処理部１５を稼動する動作を繰り返す。Ｓ６４でＭ＞ｍ１を満たさなくなったとき、終了する。
【０１２４】
上限額設定部８４１に上限額を設定する月が、４月でなく、７月から９月までの夏季期間のいずれかの月である場合にも、上記した４月の場合と同様に、優先順位設定部８３６の設定に基づいて、稼動演算部８４が上限額の範囲内で稼動時間を割り振るよう演算する。その際優先順位３位以下の時間帯については、Ｓ６５からＳ７１までの流れと同様のフローで演算する。そして、得られた演算結果に基づいて古紙処理部１５を稼動する。Ｓ
【０１２５】
本第２の実施形態では、優先順位設定部８３６で、期間及び時間帯の双方を考慮して、単価の最も安い順に優先順位を付与し、上限額設定部８４１で設定された上限額の範囲内でより多くの古紙１０を処理するよう稼動演算部８４で稼動時間を割り振る。よって、古紙１０の再生処理に要する費用を管理しつつ、効率よく古紙１０を処理することが可能である。
【０１２６】
（第３の実施形態）
本発明に係る古紙処理装置の制御部８の第３の実施形態を以下に説明する。図１６に、本第３の実施形態に係る制御部８のブロック図を示す。図１６に示すように、本第３の実施形態では、上記参考例１の各構成に加え、温度検出部７４と、温度設定部８４４を備えている。温度検出部７４は、古紙処理部１５の雰囲気温度を検出する。温度設定部８４４は、制御部８の稼動条件設定部８３に設けられ、ユーザが、古紙処理部１５を稼動するかどうかの判断の基準となる温度範囲として操作部７１より入力した温度範囲を設定する。
【０１２７】
制御部８の稼動演算部８４は、温度検出部７４の検出温度と、温度設定部８４４の設定温度範囲とに基づいて古紙処理部１５を稼動する。例えば、温度設定部８４４で、古紙処理部１５の稼動温度を３０℃以上としたとする。制御部８は、温度検出部７４で検出される古紙処理部１５の雰囲気温度が３０℃以上になったときに古紙処理部１５を稼動するよう制御する。
【０１２８】
これにより、気温が高く湿紙１２の乾燥効率が良好な状態でのみ、古紙１０の処理を行うようにすることができ、消費する電力に対する古紙１０の処理量を増大させることができる。
【０１２９】
尚、上記各実施形態では、後処理部９を、貯留部４、脱墨部５、抄紙部６及び仕上げ部７により構成したが、本発明に係る古紙処理装置は、これに限定されず、古紙の含水攪拌物を、圧縮し、乾燥したり、成形する等古紙を処理可能な他の構成としても構わない。また、古紙１０を処理することで再生紙１３を製造したが、これに限定されず、古紙処理の結果得られる古紙処理物が、嵩張りの小さい廃棄物であってもよく、有益な古紙の再利用製品であってもよい。また、優先順位設定部８３６は、単価の安い期間のみ、または期間及び時間帯の双方に応じて優先順位を付与したが、時間帯のみに応じて優先順位を付与してもよい。
【０１３０】
また、参考例１〜３の制御部８は、処理量設定部８３４を備えたが、必ずしも備えなくてもよい。制御部８は、上限額設定部８４１において設定された金額の範囲内で、より多くの古紙１０を処理するように古紙処理部１５を稼動するための演算を行ったが、設定された上限額を僅かに上回ったところを限度として古紙処理部１５の稼動することとしてもよい。また、制御部８は、上限額設定部８４１の設定範囲内で古紙処理部１５を稼動する際、電気料金の試算額ｍに基づいて古紙処理部１５を稼動したが、これに限定されず、例えば、上限額を単価で割り算し、得られた稼働時間だけ稼動したり、また、電力計測部によって常時電力を計測し、得られた電力に単価を掛け合わせることで、リアルタイムで料金を加算していき、上限額に達したところで運転を停止するなど、試算額ｍを演算することなく、稼動を判断する構成としてもよい。
【０１３１】
また、制御部８は、実際に消費した電力の電気料金に基づいて古紙処理部１５を稼動したが、これに限定されず、実際の消費電力に関わらず試算額のみに基づき稼動を判断してもよい。また、上限額設定部８４１の設定範囲内で古紙処理部１５を稼動する際、制御部８は、優先順位設定部８３６の設定に基づいて古紙処理部１５の稼動を判断したが、優先順位に関わらず、電気料金の単価とは無関係に稼動を判断してもよい。
【０１３２】
また、停止条件設定部８３０を備えたが、必ずしも備えなくてもよく、停止条件設定部８３０を、曜日や日付、時間帯に替えて、期間について古紙処理部の運転停止を設定可能としてもよい。また、処理量設定手段８３４は、処理量を設定する期間を４月から３月までの一年間、または一ヶ月間としたが、これに限定されず、例えば５月の２０日から翌年の５月１９日までといった年や月の初日または最終日以外の日を基準としてもよい。
【符号の説明】
【０１３３】
１  古紙処理装置
８  制御部
９  後処理部
１５  古紙処理部
３２  攪拌槽
７４  温度検出部
８３６  優先順位設定部
８４１  上限額設定部
８４４  温度設定部
【図１】
0005891533.tif 000007
【図２】
0005891533.tif 000008
【図３】
0005891533.tif 000009
【図４】
0005891533.tif 000010
【図５】
0005891533.tif 000011
【図６】
0005891533.tif 000012
【図７】
0005891533.tif 000013
【図８】
0005891533.tif 000014
【図９】
0005891533.tif 000015
【図１０】
0005891533.tif 000016
【図１１】
0005891533.tif 000017
【図１２】
0005891533.tif 000018
【図１３】
0005891533.tif 000019
【図１４】
0005891533.tif 000020
【図１５】
0005891533.tif 000021
【図１６】
0005891533.tif 000022